(57)【要約】【課題】部品点数を抑えて小型化かつ軽量化を実現可能なレンズ駆動装置を提供すること。【解決手段】レンズ駆動装置（１）には、磁場により磁化する金属板材（８）が設けられており、レンズホルダ（２）を第１位置側に付勢する弾性部材と、弾性部材によって第１位置に保持されたレンズホルダ（２）の金属板材（８）を吸引する磁力を発生させるコイル（３Ａ、３Ｂ）及びヨーク（４）を含む電磁石とを備え、ヨーク（４）は、レンズホルダ（２）を露出させる開口を有する枠状部（４２）と枠状部（４２）から金属板材（８）側に延出された突出部（４３）を有すると共に突出部（４３）はレンズホルダ（２）を挟んで対向する位置に一対設けられており、コイル（３Ａ、３Ｂ）は、突出部（４３）に対応して一対設けられ、それぞれ突出部（４３）の周囲に巻回されるように突出部（４３）の周囲に配設されている。【選択図】図２
2014052544.tif 000002
【特許請求の範囲】
【請求項１】
レンズ体を保持可能なレンズホルダと、前記レンズホルダを光軸方向に沿って第１位置と第２位置とに移動させる移動機構とを備えたレンズ駆動装置において、
前記レンズホルダには、磁場により磁化する金属部が設けられており、前記移動機構は、前記レンズホルダを前記第１位置側に付勢する弾性部材と、前記弾性部材によって前記第１位置に保持された前記レンズホルダの前記金属部を吸引する磁力を発生させるコイル及びヨークを含む電磁石とを備え、
前記ヨークは、前記レンズホルダを露出させる開口を有する枠状部と前記枠状部から前記金属部側に延出された突出部を有すると共に、前記突出部は前記レンズホルダを挟んで対向する位置に一対設けられており、前記コイルは、前記突出部に対応して一対設けられ、それぞれ前記突出部の周囲に巻回されるように当該突出部の周囲に配設されており、前記コイルへの通電により、前記金属部が前記ヨークの前記突出部側に吸引され、前記レンズホルダが前記第１位置から前記第２位置に移動することを特徴とするレンズ駆動装置。
【請求項２】
前記コイルは、光軸方向に沿った貫通部を有し、
前記貫通部に前記突出部が挿通され、前記突出部の先端が前記貫通部から突出していることを特徴とする請求項１記載のレンズ駆動装置。
【請求項３】
前記ヨークは、前記ヨークと一体化される絶縁性の支持部材を具備し、
前記弾性部材は、光軸方向に離間して対向配置された上側板ばねと下側板ばねとからなり、前記上側板ばねの一部が前記レンズホルダに取り付けられると共に他部が前記支持部材に支持され、前記下側板ばねの一部が前記レンズホルダに取り付けられると共に他部が前記支持部材に支持されることを特徴とする請求項１又は請求項２記載のレンズ駆動装置。
【請求項４】
前記上側板ばね及び下側板ばねは、それぞれ２箇所で前記レンズホルダに取り付けられ、前記上側板ばねの２箇所の取付位置を結ぶ線と前記下側板ばねの２箇所の取付位置を結ぶ線とが平面視にて交差するように配置されていることを特徴とする請求項３記載のレンズ駆動装置。
【請求項５】
前記下側板ばねは、一対設けられており、前記コイルの一端は前記上側板ばね又は前記ヨークに接続され、他端は前記下側板ばねに接続され、前記一対の下側板ばねを介して前記一対のコイルに通電可能となっており、前記一対のコイルに対する通電に伴い、前記一対の突出部の先端に互いに異なる磁極が発生することを特徴とする請求項３又は請求項４記載のレンズ駆動装置。
【請求項６】
前記一対のコイルは、同一形状に構成されていることを特徴とする請求項１から請求項５のいずれかに記載のレンズ駆動装置。
【請求項７】
前記ヨークには、前記枠状部を構成する側壁が設けられており、前記側壁の上端が前記レンズホルダの初期状態の位置決め部となることを特徴とする請求項１から請求項６のいずれかに記載のレンズ駆動装置。
【発明の詳細な説明】
【技術分野】
【０００１】
本発明は、レンズ駆動装置に関し、例えば、デジタルカメラやカメラ付き携帯電話における２焦点機能に好適なレンズ駆動装置に関する。
【背景技術】
【０００２】
従来、デジタルカメラやカメラ付き携帯電話に搭載されるレンズ駆動装置において、接写撮影と通常撮影とを切り替えるために、レンズを所定の焦点位置に移動して２焦点切り替えを行う２焦点機能が設けられている。例えば、このような２焦点機能を有するレンズ駆動装置として、永久磁石を用いる構成などが提案されている（例えば、特許文献１参照）。
【先行技術文献】
【特許文献】
【０００３】
【特許文献１】特開２００７−１０８４１３号公報
【発明の概要】
【発明が解決しようとする課題】
【０００４】
しかしながら、上述したような永久磁石を用いるレンズ駆動装置においては、永久磁石に加え、環状コイルが２つ必要となるため、部品点数が多く、小型化が困難であるという問題がある。また、永久磁石及び２つの環状コイルを備えることに伴い、レンズ駆動装置全体が重くなるという問題もある。
【０００５】
本発明は、かかる点に鑑みてなされたものであり、部品点数を抑えて小型化かつ軽量化を実現可能なレンズ駆動装置を提供することを目的とする。
【課題を解決するための手段】
【０００６】
本発明のレンズ駆動装置は、レンズ体を保持可能なレンズホルダと、前記レンズホルダを光軸方向に沿って第１位置と第２位置とに移動させる移動機構とを備えたレンズ駆動装置において、前記レンズホルダには、磁場により磁化する金属部が設けられており、前記移動機構は、前記レンズホルダを前記第１位置側に付勢する弾性部材と、前記弾性部材によって前記第１位置に保持された前記レンズホルダの前記金属部を吸引する磁力を発生させるコイル及びヨークを含む電磁石とを備え、前記ヨークは、前記レンズホルダを露出させる開口を有する枠状部と前記枠状部から前記金属部側に延出された突出部を有すると共に、前記突出部は前記レンズホルダを挟んで対向する位置に一対設けられており、前記コイルは、前記突出部に対応して一対設けられ、それぞれ前記突出部の周囲に巻回されるように当該突出部の周囲に配設されており、前記コイルへの通電により、前記金属部が前記ヨークの前記突出部側に吸引され、前記レンズホルダが前記第１位置から前記第２位置に移動することを特徴とする。
【０００７】
上記レンズ駆動装置によれば、コイル及びヨークを含む電磁石の磁力によってレンズホルダを移動して２焦点を切り替えることができるため、永久磁石を設ける必要がなく、部品点数を抑えて小型化かつ軽量化を実現することが可能となる。また、コイルを一対設けることにより、１つ１つのコイルを小型化することができ、１つのコイルのみを用いて同じだけの磁力を発生させる場合に比べて、レンズ駆動装置全体を小型化することが可能となる。
【０００８】
上記レンズ駆動装置において、前記コイルは、光軸方向に沿った貫通部を有し、前記貫通部に前記突出部が挿通され、前記突出部の先端が前記貫通部から突出していることが好ましい。この場合には、金属部側に延出した突出部に光軸方向に沿った貫通部を有するコイルを固定することから、光軸方向に垂直な平面におけるヨークの面積を小さくすることができるので、レンズ駆動装置全体を小型化することが可能となる。
【０００９】
また、上記レンズ駆動装置において、前記ヨークは、前記ヨークと一体化される絶縁性の支持部材を具備し、前記弾性部材は、光軸方向に離間して対向配置された上側板ばねと下側板ばねとからなり、前記上側板ばねの一部が前記レンズホルダに取り付けられると共に他部が前記支持部材に支持され、前記下側板ばねの一部が前記レンズホルダに取り付けられると共に他部が前記支持部材に支持されることが好ましい。この場合には、弾性部材が一対の板ばねで構成されるため、レンズ駆動装置の光軸方向に沿った高さ寸法を小さくすることが可能となる。
【００１０】
さらに、上記レンズ駆動装置において、前記上側板ばね及び下側板ばねは、それぞれ２箇所で前記レンズホルダに取り付けられ、前記上側板ばねの２箇所の取付位置を結ぶ線と前記下側板ばねの２箇所の取付位置を結ぶ線とが平面視にて交差するように配置されていることが好ましい。この場合には、上側板ばねの２箇所の取付位置を結ぶ線と下側板ばねの２箇所の取付位置を結ぶ線とが平面視にて交差するように配置されることから、レンズホルダを異なる軸に沿って支持できるので、レンズホルダの傾きを防止して、安定して２焦点を切り替えることが可能となる。
【００１１】
さらに、上記レンズ駆動装置において、前記下側板ばねは、一対設けられており、前記コイルの一端は前記上側板ばね又は前記ヨークに接続され、他端は前記下側板ばねに接続され、前記一対の下側板ばねを介して前記一対のコイルに通電可能となっており、前記一対のコイルに対する通電に伴い、前記一対の突出部の先端に互いに異なる磁極が発生することが好ましい。この場合には、一対の下側板ばねを介して一対のコイルに通電されることから、通電用の部材を備えることなく容易にコイルへ通電することが可能となる。また、一対のコイルに対する通電に伴って、一対の突出部の先端に互いに異なる磁極が発生することから、コイルで発生した磁力線をコアとして機能する突出部に集中させ、磁力線の漏れを少なくできるので、コイルに発生する磁力を高めることが可能となる。
【００１２】
さらに、上記レンズ駆動装置において、前記一対のコイルは、同一形状に構成されていることが好ましい。この場合には、一対のコイルとして、共通のコイルを使用できるため、部品管理が容易となる。
【００１３】
さらに、上記レンズ駆動装置において、前記ヨークには、前記枠状部を構成する側壁が設けられており、前記側壁の上端が前記レンズホルダの初期状態の位置決め部となることが好ましい。この場合には、ヨークを基準としてレンズホルダを位置決めすることができるため、レンズホルダを初期位置である第１位置に安定して保持することが可能となる。また、ヨークの一部に側壁が設けられることから、光軸方向に垂直な平面におけるヨークの面積を小さくすることができるので、レンズ駆動装置全体を小型化することが可能となる。
【発明の効果】
【００１４】
本発明によれば、部品点数を抑えて小型化かつ軽量化されたレンズ駆動装置を実現できる。
【図面の簡単な説明】
【００１５】
【図１】本発明の一実施の形態に係るレンズ駆動装置の分解斜視図である。
【図２】上記実施の形態に係るレンズ駆動装置を組み立てた状態を上方側から示した斜視図である。
【図３】上記実施の形態に係るレンズ駆動装置を組み立てた状態を下方側から示した斜視図である。
【図４】図２に示すレンズ駆動装置のＡ−Ａ線矢視断面図である。
【図５】図２に示すレンズ駆動装置からヨークを取り除いた場合の斜視図である。
【図６】図３に示すレンズ駆動装置からヨーク及び金属板材を取り除いた場合の斜視図である。
【発明を実施するための形態】
【００１６】
以下、本発明の実施の形態について添付図面を参照して詳細に説明する。図１は、本発明の一実施の形態に係るレンズ駆動装置１の分解斜視図である。図１に示すように、レンズ駆動装置１は、図示しないレンズ体を保持可能なレンズホルダ２と、レンズホルダ２を光軸方向に移動させる移動機構を構成する一対のコイル３Ａ、３Ｂ、ヨーク４及び一対の弾性部材（上側板ばね５及び下側板ばね６）と、上側板ばね５及び下側板ばね６を支持する支持部材７と、磁場により磁化する金属板材８と、を含んで構成される。
【００１７】
レンズホルダ２は、例えば、絶縁性の樹脂材料を成形して構成され、概して円筒形状に設けられている。レンズホルダ２の内周面には、図示しないレンズ体をねじ込み可能なねじ溝が設けられている。レンズホルダ２の外周面における上端部には、レンズホルダ２の径方向外側に突出する複数（本実施の形態において２つ）の鍔部２１が設けられている。また、レンズホルダ２の外周面には、レンズホルダ２の径方向外側に突出する複数（本実施の形態において２つ）の突出片２２が設けられている。突出片２２の上端部には、後述する上側板ばね５の内側固定部５２が接着固定される固定片２２ａが設けられている。なお、固定片２２ａは、内側固定部５２を位置決め可能な形状に構成されている。
【００１８】
また、レンズホルダ２の外周面における下端部には、レンズホルダ２の径方向外側に突出する複数（本実施の形態において２つ、図１においては１つのみ図示）の突出片２３が設けられている。突出片２３の下面部には、後述する下側板ばね６の内側固定部６２が接着固定される固定片２３ａが設けられている（図６参照）。なお、固定片２３ａは、内側固定部６２を位置決め可能な形状に構成されている。レンズホルダ２の下端円周上には、下方側に突出する複数の脚部２４が設けられている。これらの脚部２４は、レンズホルダ２に金属板材８を取り付けるために利用されるものであり、後述する金属板材８の切込み部８２に挿通された状態で熱かしめ等により変形されることで金属板材８を固定する。
【００１９】
一対のコイル３Ａ、３Ｂは、同一形状に形成されており、環状に束ねられると共に光軸方向に沿った貫通部３１を有している。コイル３Ａ、３Ｂの端部３２は、コイル３Ａ、３Ｂの上面側に引き出され、後述する上側板ばねの突出片５５に絡げられて半田付けされる。一方、コイル３Ａ、３Ｂの端部３３は、コイル３Ａ、３Ｂの下面側に引き出され、後述する下側板ばね６の延出片６５に絡げられて半田付けされる（図１においてコイル３Ｂの端部３３は不図示）。図１において、端部３２、３３の形状は、それぞれ突出片５５、延出片６５に絡げられた状態について示している。なお、コイル３Ａ、３Ｂを構成する導線の表面は、端部３２、３３を除いて絶縁被膜で覆われている。
【００２０】
ヨーク４は、例えば、金属磁性材料を機械加工して構成され、上面視にて概して長方形状に設けられている。ヨーク４は、中央に概して円形状の開口部４１が設けられた枠状部４２と、折り曲げ加工を施して形成された下方側に延出する一対の突出部４３と、折り曲げ加工を施して形成され下方側に延出する一対の側壁４４と、を備えて構成される。突出部４３は、その下端部近傍が上端部近傍より幅広に構成されると共に全体としてコイル３Ａ、３Ｂの貫通部３１に収容され得るサイズに構成されている。一対の側壁４４は、突出部４３と交わる方向に設けられている。これらの側壁４４の両端部は、突出部４３が設けられた辺より外側まで突出して構成される。なお、開口部４１を介して対向する一対の側壁４４は、枠状部４２を構成している。
【００２１】
開口部４１を規定する枠状部４２には、複数の切込み部４５が設けられている。これらの切込み部４５は、レンズ駆動装置１を組み立てる際にレンズホルダ２の突出片２２、２３が通過する位置に配置されている。また、開口部４１を規定する枠状部４２であって、側壁４４の上端中央部には、上面視にて略長方形状に切り取られた位置決め部４６が設けられている。位置決め部４６には、レンズ駆動装置１を組み立てた際にレンズホルダ２の鍔部２１が配置される。また、枠状部４２における四隅部分の近傍には、複数（本実施の形態において４つ）の貫通孔４７が設けられている。これらの貫通孔４７には、後述する支持部材７の固定ピン７３が挿入される。
【００２２】
上側板ばね５は、例えば、リン青銅などの導電性材料を成形して構成され、ヨーク４の枠状部４２の形状と略同一の形状を有している。上側板ばね５は、ヨーク４の枠状部４２の上面に固定される外側固定部５１と、レンズホルダ２の上面に固定される内側固定部５２と、外側固定部５１と内側固定部５２とを連結する腕部５３と、を有している。
【００２３】
外側固定部５１の所定位置には、複数（本実施の形態において４つ）の貫通孔５４が設けられている。これらの貫通孔５４に、後述する支持部材７の固定ピン７３を挿通した状態で固定ピン７３を熱かしめ等により変形することで、上側板ばね５はヨーク４に固定される。また、内側固定部５２は、レンズホルダ２の突出片２２に設けられた固定片２２ａに接着されることで、上側板ばね５はレンズホルダ２に固定される。
【００２４】
外側固定部５１のうち対向する２辺の両端部近傍には、外側方向に突出する突出片５５が設けられている。突出片５５には、コイル３Ａ、３Ｂの端部３２が絡げられる。このように接続された端部３２を介して、コイル３Ａ、３Ｂは、上側板ばね５及び上側板ばね５が固定されるヨーク４と導通可能に構成されている。
【００２５】
下側板ばね６は、上側板ばね５と同様に、例えば、リン青銅などの導電性材料を成形して構成される。下側板ばね６は、一対の板ばね６Ａ、６Ｂから構成され、それぞれ支持部材７の下面に固定される外側固定部６１と、レンズホルダ２の下面に固定される内側固定部６２と、外側固定部６１と内側固定部６２とを連結する腕部６３と、を有している。
【００２６】
外側固定部６１の所定位置には、複数（本実施の形態において４つ）の貫通孔６４が設けられている。これらの貫通孔６４に、後述する支持部材７の固定ピン７６を挿通した状態で固定ピン７６を熱かしめ等により変形することで、下側板ばね６は支持部材７に固定される。また、内側固定部６２は、レンズホルダ２の突出片２３に設けられた固定片２３ａに接着されることで、下側板ばね６はレンズホルダ２に固定される。
【００２７】
外側固定部６１の端部近傍には、折り曲げ加工を施して形成された下方側に延出する延出片６５が設けられている。延出片６５には、コイル３Ａ、３Ｂの端部３３が絡げられる。このように接続された端部３３を介して、コイル３Ａ、３Ｂは、下側板ばね６と導通可能に構成されている。
【００２８】
支持部材７は、例えば、絶縁性の樹脂材料を成型加工して構成され、一対の支持部材７Ａ、７Ｂから構成される。支持部材７Ａ、７Ｂは、それぞれ一対の柱状部７１と、一対の柱状部７１を連結する壁状部７２と、を有している。壁状部７２は、その内壁面がレンズホルダ２の外周面に沿った曲面で構成されている。
【００２９】
柱状部７１の上面には、上側板ばね５をヨーク４の上面に固定するための固定ピン７３が設けられている。固定ピン７３は、ヨーク４の貫通孔４７及び上側板ばね５の貫通孔５４に挿通された状態で熱かしめ等により変形されることで、上側板ばね５をヨーク４の枠状部４２の上面に固定する。また、固定ピン７３による固定によって、ヨーク４と支持部材７とは一体化する。なお、図１においては、固定ピン７３が変形された状態について示している。
【００３０】
柱状部７１と壁状部７２との間には、段差部７４が設けられている。段差部７４の上面には、レンズ駆動装置１を組み立てた際にレンズホルダ２の鍔部２１が配置される。柱状部７１の下端部には、壁状部７２より下方に突出する脚部７５が設けられている。脚部７５の下面には、下側板ばね６を支持部材７に固定するための固定ピン７６が設けられている。固定ピン７６は、下側板ばね６の貫通孔６４に挿通された状態で熱かしめ等により変形されることで、下側板ばね６を支持部材７の脚部７５の下面に固定する（図６参照）。なお、図１においては、固定ピン７６が変形された状態について示している。
【００３１】
金属板材８は、レンズホルダ２に設けられた金属部として機能する。金属板材８は、例えば、金属磁性体材料を成形して構成され、ヨーク４の枠状部４２に対応した形状を有している。金属板材８の中央には、概して円形状の開口部８１が設けられている。開口部８１を規定する金属板材８には、複数（本実施の形態において６つ）の切込み部８２が設けられている。また、開口部８１の周辺には、外側方向に延出する一対の延出部８３が設けられている。延出部８３は、平板形状を有する。延出部８３の上面部は、レンズ駆動装置１を組み立てた際にヨーク４の突出部４３の下端部と対向して配置される。
【００３２】
続いて、本実施の形態に係るレンズ駆動装置１を組み立てた状態について説明する。図２は、レンズ駆動装置１を組み立てた状態を上方側から示した斜視図である。図３は、レンズ駆動装置１を組み立てた状態を下方側から示した斜視図である。図４は、図２に示すレンズ駆動装置１のＡ−Ａ線矢視断面図である。図５は、図２に示すレンズ駆動装置１からヨーク４を取り除いた場合の斜視図である。図６は、図３に示すレンズ駆動装置１からヨーク４及び金属板材８を取り除いた場合の斜視図である。
【００３３】
図２に示すように、レンズ駆動装置１を組み立てると、ヨーク４は、固定ピン７３によって支持部材７と一体化される。この場合において、支持部材７は、側壁４４の下端部が壁状部７２上に載置された状態でヨーク４と一体化されている。
【００３４】
ヨーク４の開口部４１の内部にはレンズホルダ２が配置されている。図示しないレンズ体は、レンズホルダ２に、図２に示す上方側からねじ込むことで組みつけられ、レンズホルダ２と一体的に移動可能に構成される。レンズホルダ２は、鍔部２１がヨーク４の位置決め部４６上に配置される構成により、初期位置に位置決めされた状態となっている。このように、ヨーク４を基準としてレンズホルダ２を位置決めすることができるため、レンズホルダ２を初期位置に安定して保持することが可能となる。
【００３５】
ヨーク４及びレンズホルダ２上には上側板ばね５が配置される。上側板ばね５の外側固定部５１における貫通孔５４は、ヨーク４の貫通孔４７と重なるように配置され、固定ピン７３によって外側固定部５１がヨーク４の上面に固定されている。また、内側固定部５２は、レンズホルダ２の突出片２２上に配置され、固定片２２ａに位置決めされた状態で接着剤によって固定片２２ａに固定されている。
【００３６】
一方、金属板材８は、図３に示すように、切込み部８２にレンズホルダ２の脚部２４を挿通して、脚部２４をかしめることにより、レンズホルダ２に固定されている。このようにレンズホルダ２の一部である脚部２４を変形させることで、レンズホルダ２と金属板材８とは一体化されている。
【００３７】
上側板ばね５を除く各構成部品（例えば、コイル３Ａ、３Ｂ及び下側板ばね６Ａ、６Ｂ）は、このようにレンズホルダ２の上方側に配置されたヨーク４と、レンズホルダ２の下端部に固定された金属板材８とで囲まれた空間に収容されている。
【００３８】
図４に示すように、コイル３Ａ、３Ｂは、レンズホルダ２を挟んで対向する位置に一対設けられたヨーク４の突出部４３を、それぞれ貫通部３１内に挿通した状態で配置されている。このとき、コイル３Ａ、３Ｂは、貫通部３１内に充填された接着剤によって突出部４３に固定されている。この構成により、コイル３Ａ、３Ｂは、突出部４３の周囲に巻回されるように突出部４３の周囲に配置された状態となっている。このように金属板材８側（すなわち、下方側）に延出した突出部４３にコイル３Ａ、３Ｂを固定するため、光軸方向に垂直な平面におけるヨーク４の面積を小さくすることができ、レンズ駆動装置１全体を小型化することが可能となる。なお、突出部４３の先端である下端部は、コイル３Ａ、３Ｂの貫通部３１から下方に突出しており、金属板材８（延出部８３）と対向している。
【００３９】
図５に示すように、コイル３Ａ、３Ｂの端部３２は、上側板ばね５の突出片５５に絡げられている。したがって、コイル３Ａ、３Ｂは、端部３２を介して上側板ばね５に接続され、この上側板ばね５及び上側板ばね５が固定されるヨーク４と導通された状態となっている。
【００４０】
下側板ばね６は、図６に示すように、外側固定部６１が固定ピン７６によって支持部材７の脚部７５の下面に固定されている。また、内側固定部６２は、レンズホルダ２の突出片２３の下面に配置され、固定片２３ａに位置決めされた状態で接着剤によって固定片２３ａに固定されている。
【００４１】
コイル３Ａ、３Ｂの端部３３は、互いに分離している下側板ばね６Ａ、６Ｂの延出片６５にそれぞれ絡げられている。したがって、コイル３Ａ、３Ｂは、端部３３を介して下側板ばね６Ａ、６Ｂに接続され、これらの下側板ばね６（６Ａ、６Ｂ）と導通された状態となっている。
【００４２】
支持部材７は、上側板ばね５の一部を固定ピン７３によって支持すると共に、下側板ばね６の一部を固定ピン７６によって支持している。また、ヨーク４の内部においては、支持部材７の段差部７４上にレンズホルダ２の鍔部２１が配置されている。
【００４３】
図４に示すように、レンズホルダ２の固定片２２ａの上端部は、ヨーク４の枠状部４２の上面より上方側に突出している。そのため、上側板ばね５には、突出片２２の上面に固定された上側板ばね５の内側固定部５２と、枠状部４２の上面に固定された外側固定部５１との関係で、レンズホルダ２を下方側に付勢する力が働く。
【００４４】
また、支持部材７の脚部７５の下端部は、レンズホルダ２の突出片２３の下面より下方側に突出している。そのため、下側板ばね６には、脚部７５の下面に固定された外側固定部６１と、突出片２３の下面に固定された内側固定部６２との関係で、レンズホルダ２を下方側に付勢する力が働く。
【００４５】
このように、レンズホルダ２は、光軸方向に離間して対向配置された上側板ばね５及び下側板ばね６の付勢力によって通常位置に保持された状態となる。このように、レンズホルダ２を通常位置に保持する弾性部材を一対の板ばね（上側板ばね５及び下側板ばね６）で構成することにより、レンズ駆動装置１の光軸方向に沿った高さ寸法を小さくすることが可能となる。また、レンズホルダ２を上側板ばね５及び下側板ばね６によって保持する構成により、光軸に対し２焦点位置での軸ずれを最小限に抑えることが可能となる。
【００４６】
また、本実施の形態に係るレンズ駆動装置１において、上側板ばね５を取り付けるための突出片２２は、レンズホルダ２の外周面における直径を挟んだ両側に設けられている（図５参照）。同様に、下側板ばね６を取り付けるための突出片２３も、レンズホルダ２の外周面における直径を挟んだ両側に設けられている（図６参照）。そして、上側板ばね５の２箇所の取付位置を結ぶ線と下側板ばね６の２箇所の取付位置を結ぶ線とは、平面視にて交差するように配置されている。このように、平面視にて交差する２つの軸で上側板ばね５及び下側板ばね６を介してレンズホルダ２を支持できるので、上側板ばね５及び下側板ばね６の影響によるレンズホルダ２の傾きを防止して、レンズの２焦点切り替えを安定して行うことができる。
【００４７】
次に、本実施の形態に係るレンズ駆動装置１の動作について図４を参照しながら説明する。レンズ駆動装置１は、コイル３Ａ、３Ｂに通電することでレンズホルダ２を上下動させて、２焦点機能を実現する。レンズ駆動装置１において、コイル３Ａ、３Ｂに通電していない初期状態で、レンズホルダ２を第１位置としての通常位置（∞）に配置でき、コイル３Ａ、３Ｂに通電した駆動状態で、レンズホルダ２を第２位置としてのマクロ位置に配置可能に構成されている。
【００４８】
図４に示すように、初期状態において、レンズホルダ２は上側板ばね５及び下側板ばね６の付勢力によって通常位置に保持された状態となっている。このとき、コイル３Ａ、３Ｂの貫通部３１から突出するヨーク４の突出部４３の下端部と、レンズホルダ２の脚部２４に取り付けられた金属板材８の延出部８３上面との間には、ギャップａが存在している。なお、初期状態におけるギャップａの値は、例えば、０．２ｍｍに設定される。
【００４９】
初期状態から下側板ばね６Ａ、６Ｂを介してコイル３Ａ、３Ｂに通電すると、コイル３Ａ、３Ｂのそれぞれに磁力が発生し、コイル３Ａ、３Ｂ及びヨーク４は電磁石として機能する。このように本実施の形態に係るレンズ駆動装置１においては、一対の下側板ばね６Ａ、６Ｂを介して一対のコイル３Ａ、３Ｂに通電されることから、通電用の部材を備えることなく容易にコイル３Ａ、３Ｂへ通電することが可能となる。
【００５０】
コイル３Ａ、３Ｂ及びヨーク４で構成される電磁石は、電磁石と金属板材８との間に引力（磁力）を働かせ、金属板材８は磁場により磁化した吸着部（吸引部）として機能する。これにより、金属板材８が固定されたレンズホルダ２は、上側板ばね５及び下側板ばね６の付勢力に抗して上方向に移動する。レンズホルダ２は、レンズホルダ２に固定された金属板材８の上面が、ヨーク４の突出部４３の下端部と接触しギャップａの値が０となる、すなわち、レンズホルダ２が最上位置まで光軸方向に移動すると停止する。このときのレンズ位置が、マクロ位置である。
【００５１】
駆動状態において、下側板ばね６Ａ、６Ｂの延出片６５及び上側板ばね５を介してコイル３Ａとコイル３Ｂとに電流を流したとき、コイル３Ａとコイル３Ｂとには、平面視して互いに異なる向きの電流（例えば、時計回り方向と反時計回り方向の電流）が流れるように構成されている。このため、コイル３Ａの貫通部３１から下方に突出する突出部４３の下端部と、コイル３Ｂの貫通部３１から下方に突出する突出部４３の下端部には、互いに異なる磁極が発生する。これにより、コイル３Ａ、３Ｂで発生した磁力線をコアとして機能する突出部４３に集中させ、磁力線の漏れを少なくできるので、コイル３Ａ、３Ｂから発生する磁力を高めることが可能となる。
【００５２】
このように本実施の形態に係るレンズ駆動装置１においては、コイル３Ａ、３Ｂを一対設けることにより、１つ１つのコイルを小型化することができ、１つのコイルのみを用いて同じだけの磁力を発生させる場合に比べて、レンズ駆動装置１全体を小型化することが可能となる。しかも、本実施の形態に係るレンズ駆動装置１においては、一対のコイル３Ａ、３Ｂとして、共通のコイルを使用できる。これにより、他の構成をコイルを利用する場合等に比べて部品管理が容易となる。
【００５３】
また、本実施の形態に係るレンズ駆動装置１において、下側板ばね６と金属板材８との間には、絶縁性の支持部材７を介してギャップが設けられている。このため、下側板ばね６と金属板材８とが接触して、下側板ばね６に流れる電流が金属板材８に流れることはない。したがって、コイル３Ａ、３Ｂへの電流量が減少することはなく、下側板ばね６に流れる電流を効率よく使用することが可能となる。
【００５４】
なお、電磁石の引力（磁力）によりレンズ位置をマクロ位置とした後は、レンズホルダ２を最上位置に保持し続けることができる吸引力が得られる程度まで電流量を低減できる。例えば、レンズ位置を通常位置からマクロ位置に移動するときの電流を８０ｍＡとし、レンズ位置をマクロ位置に保持し続ける場合の電流を２０ｍＡとすることができる。これにより、レンズ駆動装置１の省電力化が実現できる。
【００５５】
本実施の形態に係るレンズ駆動装置１においては、例えば、装置本体を搭載するデジタルカメラや携帯電話の制御部からの駆動指示に応じて、コイル３Ａ、３Ｂに通電する電流量を制御することによって、金属板材８が固定されたレンズホルダ２を光軸方向に沿って上下移動させ、その位置決めを行う。これにより、レンズホルダ２に組みつけられたレンズ体の位置決めを行うことが可能となる。なお、コイル３Ａ、３Ｂへの通電を停止すると、レンズホルダ２は、上側板ばね５及び下側板ばね６の付勢力に応じて通常位置（∞）に復帰する。
【００５６】
以上説明したように、本実施の形態に係るレンズ駆動装置１においては、コイル３Ａ、３Ｂ及びヨーク４を含む電磁石の磁力によってレンズホルダ２を移動して２焦点を切り替えることができるため、永久磁石を設ける必要がなく、部品点数を抑えてレンズ駆動装置１の小型化かつ軽量化を実現することが可能となる。
【００５７】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００５８】
例えば、上記実施の形態においては、ヨーク４の突出部４３が下方側（金属板材８側）に延出する場合について説明している。しかしながら、突出部４３の構成については、これに限定されるものではなく適宜変更が可能である。例えば、突出部４３は、ヨーク４の枠状部４２から水平方向の外側方向に突出し、枠状部４２と同一平面上に設けられる構成であってもよい。この場合には、金属板材８の両端部（延出部８３）をそれぞれＬ字状に折り曲げて上方側に延出させ、突出部４３の先端部と金属板材８の延出部８３の先端部とが対向するように構成する。
【００５９】
また、上記実施の形態においては、金属板材８の切込み部８２にレンズホルダ２の脚部２４を挿通して、脚部２４を熱かしめ等で変形させることにより、金属板材８をレンズホルダ２に固定する場合について説明している。しかしながら、金属板材８の構成については、これに限定されるものではなく適宜変更が可能である。例えば、金属板材８は、インサート成形によりレンズホルダ２に一体的に設けられる構成であってもよい。
【００６０】
さらに、上記実施の形態においては、固定ピン７３によって、ヨーク４と支持部材７とが一体化される場合について説明している。しかしながら、ヨーク４と支持部材７との構成は、これに限定されるものではなく適宜変更が可能である。例えば、支持部材７をインサート成形によってヨーク４と一体化する構成であってもよい。
【００６１】
さらに、上記実施の形態においては、コイル３Ａ、３Ｂの端部３２を上側板ばね５と接続する場合について説明している。しかしながら、コイル３Ａ、３Ｂの端部３２の接続関係についてはこれに限定されるものではなく適宜変更が可能である。例えば、コイル３Ａ、３Ｂの端部３２は、ヨーク４に接続される構成であってもよい。この場合には、コイル３Ａ、３Ｂは、ヨーク４を介して上側板ばね５と導通する。
【００６２】
さらに、上記実施の形態においては、コイル３Ａ、３Ｂをヨーク４の突出部４３に接着剤によって固定することにより、コイル３Ａ、３Ｂをヨーク４に取り付ける場合について説明している。しかしながら、コイル３Ａ、３Ｂの構成についてはこれに限定されるものではなく適宜変更が可能である。例えば、コイル３Ａ、３Ｂは、ヨーク４の突出部４３に直接巻回して設けられる構成であってもよい。
【符号の説明】
【００６３】
１  レンズ駆動装置
２  レンズホルダ
２１  鍔部
２２、２３  突出片
２２ａ、２３ａ  固定片
２４  脚部
３Ａ、３Ｂ  コイル
３１  貫通部
３２、３３  端部
４  ヨーク
４１  開口部
４２  枠状部
４３  突出部
４４  側壁
４５  切込み部
４６  位置決め部
４７  貫通孔
５  上側板ばね
５１  外側固定部
５２  内側固定部
５３  腕部
５４  貫通孔
５５  突出片
６、６Ａ、６Ｂ  下側板ばね
６１  外側固定部
６２  内側固定部
６３  腕部
６４  貫通孔
６５  延出片
７、７Ａ、７Ｂ  支持部材
７１  柱状部
７２  壁状部
７３  固定ピン
７４  段差部
７５  脚部
７６  固定ピン
８  金属板材
８１  開口部
８２  切込み部
８３  延出部
【図１】
2014052544.tif 000003
【図２】
2014052544.tif 000004
【図３】
2014052544.tif 000005
【図４】
2014052544.tif 000006
【図５】
2014052544.tif 000007
【図６】
2014052544.tif 000008